(57)【要約】【課題】  異なる複数の色の発光素子の混色によってカラー画像を表示させる表示装置において、発光デューティによってホワイトバランス調整を行なう場合に色割れが生じてしまっていた。【解決手段】  複数の異なる色の発光素子と前記発光素子を駆動する駆動回路を含む発光装置であって、色温度が可変に設定され、  前記駆動回路が、供給される輝度信号に基づいて前記発光素子の輝度を制御し、かつ、供給される発光期間制御信号に基づいて前記発光素子の発光デューティを制御する回路であり、  前記輝度信号が、設定されるすべての色温度に共通の信号であり、  前記発光期間制御信号が、設定される色温度の１つである標準の色温度において、前記異なる色の発光素子の発光デューティを等しくし、前記標準の色温度以外の色温度において、前記異なる色の発光素子の発光デューティを互いに異ならせる信号であることを特徴とする発光装置。【選択図】  図１
2012022181.tif 000002
【特許請求の範囲】
【請求項１】
複数の異なる色の発光素子と前記発光素子を駆動する駆動回路を含む発光装置であって、色温度が可変に設定され、
前記駆動回路が、供給される輝度信号に基づいて前記発光素子の輝度を制御し、かつ、供給される発光期間制御信号に基づいて前記発光素子の発光デューティを制御する回路であり、
前記輝度信号が、設定されるすべての色温度に共通の信号であり、
前記発光期間制御信号が、設定される色温度の１つである標準の色温度において、前記異なる色の発光素子の発光デューティを等しくし、前記標準の色温度以外の色温度において、前記異なる色の発光素子の発光デューティを互いに異ならせる信号であることを特徴とする発光装置。
【請求項２】
前記異なる色の発光素子が、赤、緑、青の３色の発光素子であって、前記標準の色温度より低い色温度において、前記赤の発光素子の発光デューティが、前記青の発光素子の発光デューティより大きく、前記標準の色温度より高い色温度において、前記赤の発光素子の発光デューティが、前記青の発光素子の発光デューティより小さいことを特徴とする請求項１に記載の発光装置。
【請求項３】
前記標準の色温度が、前記可変に設定される色温度の範囲の中心の色温度、または、中心に最も近い色温度であることを特徴とする請求項１または２に記載の発光装置。
【請求項４】
前記発光装置が表示装置であることを特徴とする請求項１ないし３に記載の発光装置。
【請求項５】
前記異なる色の発光素子は、各々が、１フレーム期間に複数回発光することを特徴とする請求項４に記載の発光装置。
【請求項６】
前記異なる色の発光素子の１フレーム期間内の発光回数が、前記標準の色温度において等しく、前記標準の色温度以外の色温度において互いに異なることを特徴とする請求項４に記載の発光装置。
【請求項７】
前記発光装置が照明装置であることを特徴とする請求項１ないし３に記載の発光装置。
【発明の詳細な説明】
【技術分野】
【０００１】
本発明は、自発光型の表示装置、照明装置などの発光装置に関する。
【背景技術】
【０００２】
赤（Ｒ）、緑（Ｇ）、青（Ｂ）の３色に代表される複数の基本色によってカラー画像が表示される表示装置においては、各基本色を表示する表示素子の組み合わせで画素が形成され，各基本色の表示素子がそれぞれ最大輝度を出力したときに白が表示される。基本色の輝度の比（ホワイトバランス）を調整することにより自然な白色表示を得ることができる。
【０００３】
表示される白の色合いは一般的に色温度で表示され、５０００Ｋ、６５００Ｋ、９３００Ｋ等、規格で定められた値、または使用場面に応じた値に設定される。代表的な映像信号であるＮＴＳＣは米国規格で６５００Ｋの色温度を前提としている。同じＮＴＳＣでも日本国内では９３００Ｋが指定されている。また使用場面においても、より色温度の低いものほど使用による疲労感が少ないなどの理由で、コンピュータのモニタ等の設定においてユーザーが５０００Ｋ等に設定して使用することも行なわれる。このように、モニタに使われるディスプレイは、色温度を設定するためのスイッチなどが設けられ、いくつかの設定値の間で切り替えできるようになっている。
【０００４】
色温度の設定できる発光装置は表示装置だけではない。照明装置においても、異なる色の発光素子を並べ、それらの輝度を調節していろいろな混合色を出すことができる。照明装置としては、一般の室内の照明だけでなく、液晶表示装置のバックライトや内視鏡の光源などがある。
【０００５】
色温度は色度座標で表すこともでき、異なる色温度の白色は、色度座標上で黒体軌跡と呼ばれる曲線の上に並ぶ。ＲＧＢを基本色とする表示装置では、ＲＧＢの輝度比を調整して、これが黒体軌跡上の所定の色温度の位置に来るように設定される。しかし、現実の表示装置や照明装置では、特別な演色効果をもたせるために、黒体軌跡上からはずれた白色も利用される。
【０００６】
自発光型の表示素子を用いる場合、ＲＧＢの輝度比は、各色の発光効率を考慮して、駆動回路の回路特性や開口率などによって設計される。図１１は、そのような設計により所望のＲＧＢ輝度比に調整された表示素子の、階調と輝度の関係を示す図である。６４階調の表示素子の場合、横軸には０から６３までの目盛りが刻まれる。
【０００７】
所定の階調の輝度を得るために表示素子に与えられるデータ信号は、輝度と表示素子に与える信号を結びつけるテーブルもしくは演算式を参照することによって決定される。このテーブルもしくは演算式は、ガンマ補正テーブル、ガンマ補正演算式と呼ばれ、制御部のガンマ調整回路に用意されている。
【０００８】
自発光型の表示素子の場合、表示素子の材料や構成がＲＧＢで異なるので、中間の輝度に対して同じ電圧信号（または電流信号）を与えても、異なる輝度が得られることが多い。その場合は、ＲＧＢそれぞれのガンマ補正テーブルまたは演算式が用意される。
【０００９】
駆動回路の特性や開口率によって輝度比が所望の値にできたとしても、いったん表示装置ができてしまうと、表示素子に印加するデータ信号の変調範囲すなわち振幅をＲＧＢそれぞれで調節する以外に、色温度調整のために輝度比を変えることは困難である。データ信号の変調振幅を変えるにはガンマ補正テーブルまたは演算式を取り替える必要があり、回路が複雑かつ大規模になる。
【００１０】
この問題を解決するために、特許文献１は、１フレームにおけるＲＧＢそれぞれの発光期間（発光デューティ）を調整してホワイトバランスをとる表示装置を提案する。目に見える明るさは輝度の時間積分（積分輝度）で決まるから、デューティ比を調節して、積分輝度の比が図１１の輝度比ＬＲ０、ＬＧ０、ＬＢ０になるようにすることで、ホワイトバランスをとることができる。ＲＧＢのデューティ比を変化させて色温度を調節することもできる。各色の輝度（瞬間輝度）は変えないので、ガンマ補正テーブルまたは演算式は、異なる色温度で同じものが使える。
【先行技術文献】
【特許文献】
【００１１】
【特許文献１】特開２００６−３３７５６１号公報
【発明の概要】
【発明が解決しようとする課題】
【００１２】
ＲＧＢのデューティを調節してホワイトバランスをとる場合、１フレーム内のＲＧＢ３色の発光時間に差が生じる。この時間差によって、フレーム内の一定の期間ごとに表示する画像の色が変化するため、動画を表示すると「色割れ」と呼ばれる現象を生じる。
【００１３】
図１２は、特許文献１の表示装置における、白色表示のときのＲＧＢの輝度と１フレーム内の発光期間をあらわしている。ＲＧＢの各色は、１フレーム期間内の時刻Ｔで同時に発光を開始し、異なる時刻ＴＥ１、ＴＥ２、ＴＥ３で消灯される。したがってＲＧＢの発光デューティが異なる。発光中の輝度が同じとすると、デューティ比がＲＧＢの目に見える積分輝度の比を決め、それによって色温度を決める。
【００１４】
ところで特許文献１のようにデューティでホワイトバランスを調整した場合、ＴＥ１、ＴＥ２、ＴＥ３がそれぞれ異なるため、ＴＥ１からＴＥ２まではＲとＧが混じった黄色が表示され、ＴＥ２からＴＥ３までは赤が表示される。
【００１５】
１フレーム内での表示色が異なるのは短い時間であるが、動く物体を表示するとき、観察者の視線がそれを追いかけて動くことによって、物体の後ろの縁が黄色と赤に色づいて見えてしまう。これが「色割れ」呼ばれる現象で、この現象は動画の画質を大きく低下させる。表示装置だけでなく、内視鏡など、時間的に色が異なる光源を用いて動く物体を照明し撮影するときにも色割れが生じる。
【課題を解決するための手段】
【００１６】
本発明は、複数の異なる色の発光素子と前記発光素子を駆動する駆動回路を含む発光装置であって、色温度が可変に設定され、
前記駆動回路が、供給される輝度信号に基づいて前記発光素子の輝度を制御し、かつ、供給される発光期間制御信号に基づいて前記発光素子の発光デューティを制御する回路であり、
前記輝度信号が、設定されるすべての色温度に共通の信号であり、
前記発光期間制御信号が、設定される色温度の１つである標準の色温度において、前記異なる色の発光素子の発光デューティを等しくし、前記標準の色温度以外の色温度において、前記異なる色の発光素子の発光デューティを互いに異ならせる信号であることを特徴とする。
【発明の効果】
【００１７】
本発明は、設定可能な色温度の１つにおいて、ＲＧＢの発光デューティを等しくし、輝度比によってホワイト調整を行う。他の色温度においては、輝度比はそのままにし、発光デューティを変えて色調整を行なう。この結果、ＲＧＢの発光デューティの差が小さくてすみ、光源が異なる色を出す時間が短くなって、色割れ現象が抑制される。
【図面の簡単な説明】
【００１８】
【図１】本発明の表示装置の構成を示すブロック回路図である。
【図２】ＲＧＢの各有機ＥＬ素子の駆動回路を示す図である。
【図３】第１の実施例における標準の色温度での（ａ）ＲＧＢの各発光タイミング信号と（ｂ）有機ＥＬ素子の輝度と発光期間を示すタイミングチャートである。
【図４】第１の実施例における標準より低い色温度での（ａ）ＲＧＢの各発光タイミング信号と（ｂ）有機ＥＬ素子の輝度と発光期間を示すタイミングチャートである。
【図５】第１の実施例における標準より高い色温度での（ａ）ＲＧＢの各発光タイミング信号と（ｂ）有機ＥＬ素子の輝度と発光期間を示すタイミングチャートである。
【図６】第２の実施例における標準の色温度でのＲＧＢの有機ＥＬ素子の輝度と発光期間を示すタイミングチャートである。
【図７】第２の実施例における標準より低い色温度でのＲＧＢの有機ＥＬ素子の輝度と発光期間を示すタイミングチャートである。
【図８】第２の実施例における標準より高い色温度でのＲＧＢの有機ＥＬ素子の輝度と発光期間を示すタイミングチャートである。
【図９】第３の実施例における標準より低い色温度でのＲＧＢの有機ＥＬ素子の輝度と発光期間を示すタイミングチャートである。
【図１０】第３の実施例における標準より高い色温度でのＲＧＢの有機ＥＬ素子の輝度と発光期間を示すタイミングチャートである。
【図１１】ガンマ特性を示す図である。
【図１２】従来の有機ＥＬ素子の輝度と発光期間を示すタイミングチャートである。
【発明を実施するための形態】
【００１９】
図１は、本発明の実施形態である有機ＥＬ表示装置１の構成を示すブロック図である。
【００２０】
表示部１０は、赤（Ｒ）、緑（Ｇ）、青（Ｂ）の有機ＥＬ素子をそれぞれ駆動する駆動回路１１Ｒ，１１Ｇ，１１Ｂが行列をなして規則的に配列した領域である。有機ＥＬ素子は、ＲＧＢの３色が組になって画素を構成し、行方向にｍ画素、列方向ｎ画素が配列している。
【００２１】
表示部１０には、各有機ＥＬ素子の駆動回路１１Ｒ，１１Ｇ，１１Ｂを行単位で選択する走査線Ｓ１，Ｓ２・・・Ｓｎが行ごとに設けられている。走査線Ｓ１，Ｓ２・・・Ｓｎには、走査線ドライバ１２から行選択信号が供給される。有機ＥＬ素子の駆動回路によっては、走査線が各行に２本以上設けられることもある。
【００２２】
走査線Ｓ１，Ｓ２・・・Ｓｎに交差して、各有機ＥＬ素子の駆動回路１１Ｒ，１１Ｇ，１１Ｂを列方向につなぐデータ線ＤＲ１、ＤＧ１、ＤＢ１、ＤＲ２・・・ＤＢｍが設けられている。データ線ＤＲ１、ＤＧ１、ＤＢ１、ＤＲ２・・・ＤＢｍには、データ線ドライバ１３からデータ信号Ｖｄａｔａが供給される。データ線ドライバ１３は、後述のガンマ調節回路１６からシリアルに送られてくるデータ信号Ｖｄａｔａを列ごとのパラレル信号に変換してデータ線に送る。
【００２３】
走査線Ｓ（以下、特定の行または列でなく、一般的に説明するときは、行および列についての添字は省略する）とデータ線ＤＲ、ＤＧ、ＤＢに加えて、有機ＥＬ素子の発光期間を決める発光期間制御線ＴＲ、ＴＧ、ＴＢが各行に３本ずつ設けられている。３本の発光期間制御線ＴＲ，ＴＧ，ＴＢは、それぞれが、１つの行内のＲ、Ｇ、Ｂの各有機ＥＬ素子の駆動回路を共通に結んでいる。発光期間制御線ＴＲ，ＴＧ，ＴＢには、発光期間制御回路１４から信号が供給される。
【００２４】
表示部１０にはこの他に駆動回路１１Ｒ，１１Ｇ，１１Ｂに電源電圧を供給する電源線が設けられているが、図１では省略されている。
【００２５】
制御部１９は、走査線ドライバ１２、データ線ドライバ１３、および発光期間制御回路１４に、それぞれの動作を制御する信号を送る回路１５と、ガンマ調節回路１６と発光タイミング信号生成回路１７とを含む。ガンマ調節回路１６は、画像信号Ｖｉｄｅｏを取り込んで、ガンマ補正テーブル２０Ｒ，２０Ｇ，２０Ｂを参照しつつデータ信号Ｖｄａｔａを生成し、データ線ドライバ１３に出力する。発光タイミング信号生成回路１７は、色温度情報Ｔｅｍｐに基づいてＲＧＢの発光期間をそれぞれ独立に決定し、それに応じた発光タイミング信号ＩＬＭｒ、ＩＬＭｇ、ＩＬＭｂを発光期間制御回路１４に送る。
【００２６】
表示装置１には色温度設定スイッチ１８が取り付けられており、使用者により切り替えられる。色温度設定スイッチ１８で設定された色温度情報Ｔｅｍｐは、発光タイミング信号生成回路１７に送られる。色温度情報Ｔｅｍｐは、表示装置１の外部から信号として送られて来てもよい。
【００２７】
図２は、有機ＥＬ素子Ｒ，Ｇ，Ｂに付随した駆動回路１１Ｒ，１１Ｇ，１１Ｂの詳細と、それに接続される走査線Ｓ、データ線ＤＲ，ＤＧ，ＤＢ、発光期間制御線ＴＲ，ＴＧ，ＴＢを示す図である。
【００２８】
駆動回路１１Ｒ，１１Ｇ，１１Ｂは、有機ＥＬ素子Ｒ，Ｇ，Ｂに電流を供給する駆動ＴＦＴ１０１Ｒ，１０１Ｇ，１０１Ｂ、データ線ＤＲ，ＤＧ，ＤＢを通じて送られるデータ信号をそれぞれ１フレームの間保持する保持容量１０４Ｒ，１０４Ｇ，１０４Ｂ、行単位で選択され、データ信号を保持容量１０４Ｒ，１０４Ｇ，１０４Ｂに伝えるためのスイッチとなるＴＦＴ１０２Ｒ，１０２Ｇ，１０２Ｂ、ならびに有機ＥＬ素子Ｒ，Ｇ，Ｂに流れる電流を遮断するための発光期間制御スイッチとなるＴＦＴ１０３Ｒ，１０３Ｇ，１０３Ｂを含んでいる。
【００２９】
ＴＦＴ１０２（以下、特定の色でなく、一般的に説明するときは、色についての添字は省略する）は、ゲートが走査線Ｓに接続され、走査線に行ごとに順次与えられる選択信号（Ｈｉｇｈレベル）によって同時に導通（オン）状態となる。発光期間制御スイッチであるＴＦＴ１０３は、ゲートが発光期間制御線Ｔに接続され、色ごとに独立にオン／オフが制御される。
【００３０】
走査線Ｓに選択信号（Ｈｉｇｈレベル）が入ると、駆動ＴＦＴ１０１のゲート−ソース間が短絡されてゲートがそれまでの状態によらない電位にリセットされる。このリセット電位とデータ線Ｄのデータ信号電位との差が保持容量１０４の両端電圧となる。走査線Ｓの選択信号が非選択（Ｌｏｗレベル）になると、スイッチ１０２が非導通（オフ）状態となり、データ信号が保持容量１０４の両端電圧として保持される。
【００３１】
走査線Ｓの行順次選択信号が全行にわたって走査され、全ての駆動回路１１の保持容量１０４にデータ信号が保持されると、データ線Ｄにデータ信号によらない一定の基準電位が与えられ、基準電位に保持容量１０４の電圧が上乗せされた電位が駆動ＴＦＴ１０１のゲートに伝わる。同時に発光期間制御スイッチ１０３がオンになり、駆動ＴＦＴ１０１のゲート電位によって決まる電流が有機ＥＬ素子に流れる。この電流に応じて、有機ＥＬ素子が発光し、表示部１０に入力映像信号Ｖｉｄｅｏに対応した画像が表示される。
【００３２】
発光期間制御スイッチ１０３は、１フレームの映像に割り当てられる期間（通常１／６０秒）内でオン／オフが切り替えられ、有機ＥＬ素子の発光デューティを決定する。
【００３３】
図２の駆動回路は、走査線によって行単位にデータ信号が書き込まれ、その後データ線から基準信号が入力されて全行の有機ＥＬ素子が同じ期間内に発光する。発光期間制御信号は、ＲＧＢの３色で別々だが、各色については全行に共通の信号である。
【００３４】
これに対して、全行にわたる選択走査が終了するのを待たず、選択＝データ信号書き込みが終了した行が直ちに発光を開始する方式もある。この場合は、発光期間制御回路が、発光期間制御線に行ごとに独立した発光期間制御信号を供給する。
【００３５】
以上説明したように、駆動回路は、データ信号が与えられて、そのデータ信号に基づいて表示素子の輝度を制御するとともに、発光期間制御信号が与えられて、それに基づいて発光デューティを制御する回路である。データ信号は、表示装置においては各表示素子の輝度を指示する輝度信号であり、照明装置においては、全体の輝度に合わせて各発光素子の輝度を与える輝度信号である。
【００３６】
駆動回路は、図２に示すものに限らず、駆動トランジスタ、保持容量、データ書き込みスイッチ、発光期間制御スイッチを含むものであればよい。また、表示素子は有機ＥＬ素子以外のＬＥＤ等の電流駆動型の発光素子であってもよい。
【００３７】
発光タイミング信号生成回路１７は、入力される色温度データＴｅｍｐに基づいて、１フレーム期間内の発光期間と休止期間を決定し、それを発光タイミング信号ＩＬＭとして発光期間制御回路１４に出力する。発光期間制御回路１４は、発光期間に対応するＨｉｇｈレベルと消灯期間に対応するＬｏｗレベルの信号を発光期間制御線Ｔに出力する。
【００３８】
図２の駆動回路のように全行が一斉に発光期間となる場合は、発光タイミング信号生成回路１７の出力ＩＬＭｒ、ＩＬＭｇ、ＩＬＭｂを、そのまま、全行の発光期間制御線ＴＲ、ＴＧ，ＴＢに一斉に出力する。
【００３９】
発光期間が行順次となる場合は、発光タイミング信号生成回路１７からの信号ＩＬＭｒ、ＩＬＭｇ、ＩＬＭｂをシフトレジスタ（不図示）により１行ずつ遅延させて、各行の発光期間制御線ＴＲ、ＴＧ，ＴＢに出力する。
【００４０】
発光期間制御信号が選択レベル（Ｈｉｇｈ）になると、発光期間制御スイッチがオンになり、有機ＥＬ素子に電流が流れて発光する。
【００４１】
本発明は、有機ＥＬ素子などの発光素子を用いた色温度が可変な発光装置において、スイッチ１８で設定される色温度の１つにおいてＲＧＢの発光デューティを等しくし、輝度の比によってその色温度となるようにする。それ以外の色温度においては、輝度比をそのままとし、発光デューティを異ならせて色調整を行う。
【００４２】
以下、実施例によって本発明を詳しく説明する。
【実施例１】
【００４３】
図３−図５によって本発明の第１の実施例を説明する。
【００４４】
図３（ａ）は、標準の色温度に設定されたときの、発光タイミング信号生成回路１７の出力である発光タイミング信号ＩＬＭｒ、ＩＬＭｇ、ＩＬＭｂを示し、図３（ｂ）は、おなじときの、白を表示する画素のＲＧＢの有機ＥＬ素子の発光輝度と発光期間を示す図である。縦軸がゼロレベルになっている期間が消灯期間、プラスになっている期間が、その輝度で発光している期間を示す。
【００４５】
Ｔ０からＴ１までの１フレーム内で、走査＝書き込み期間Ｔｗが終了した後の残り期間Ｔｅが発光に割り当てられた期間である。ＩＬＭｒ、ＩＬＭｇ、ＩＬＭｂの信号はＴ２からＴ３の期間にＨｉｇｈレベルになり、これが毎フレーム繰り返される。
【００４６】
ＩＬＭｒ、ＩＬＭｇ、ＩＬＭｂの信号に応じて発光期間制御回路１４から同じタイミング信号が発光期間制御線ＴＲ，ＴＧ，ＴＢに送られる。この信号は、駆動回路の方式によって、全行一斉に出される場合と、行順次に出される場合とがある。行順次に出される場合は、発光期間制御回路１４のシフトレジスタ（負図示）によって、１行ずつ遅れた信号として各行に出力される。
【００４７】
発光期間制御線ＴＲ，ＴＧ，ＴＢの信号を受けて、各行のＲＧＢの有機ＥＬ素子は、それぞれ、同じ時刻Ｔ２からＴ３まで揃って発光する。発光期間中、各有機ＥＬ素子はデータ線ＤＲ，ＤＧ，ＤＢから各画素に送られたデータ信号Ｖｄａｔａに応じた輝度で発光する。この場合は、白の信号すなわちＲＧＢの最大階調信号が各有機ＥＬ素子に保持されているので、各有機ＥＬ素子は最大輝度ＬＲ、ＬＧ、ＬＢで発光する。
【００４８】
白色度の調整（ホワイトバランス）は各色輝度ＬＲ、ＬＧ、ＬＢによって行なわれている。白表示でない中間的な色と明るさの表示は、輝度をＬＲ、ＬＧ、ＬＢより小さくする。与えられた輝度に対応したデータ信号Ｖｄａｔａは、ガンマ調整回路１６で作られる。ガンマ調整回路１６では、入力された映像信号Ｖｉｄｅｏから各画素のＲＧＢの階調レベルが抽出され、ガンマ特性テーブルを参照してデータ信号Ｖｄａｔａを決定する。ガンマ特性がＲＧＢで異なるので、それぞれのガンマ特性テーブルが用意されている。
【００４９】
図４（ａ）は、標準の色温度より低温側に色温度を設定したときの発光タイミング信号ＩＬＭｒ、ＩＬＭｇ、ＩＬＭｂ、図４（ｂ）は同じ時の白色表示の輝度と発光タイミングを示す図である。
【００５０】
色温度の低い白を表示するために、Ｒの発光開始時刻をＴ２より早いＴ２Ｒに、終了時刻をＴ３より遅いＴ３Ｒにしている。すなわち、Ｒの発光デューティ（１フレーム期間、あるいは単位時間における発光時間の割合）は、標準の色温度における発光デューティより大きくなっている。いっぽう、Ｇ発光の開始と終了の時刻はそれぞれＴ２とＴ３であって標準の色温度におけるそれと変わらない。また、Ｂ発光は、開始時刻がＴ２より遅いＴ２Ｂになり、終了時刻がＴ３より早いＴ３Ｂになっている。すなわち、Ｂの発光デューティは標準の色温度における発光デューティより低くなっている。
【００５１】
図４（ｂ）に示すように、ＲＧＢの有機ＥＬ素子は、発光タイミング信号ＩＬＭｒ、ＩＬＭｇ、ＩＬＭｂと同じ期間、それぞれの輝度で発光する。白色を表示する画素のＲＧＢの輝度は、図３（ｂ）の標準の色温度における輝度ＬＲ、ＬＧ、ＬＢと同じである。目に感じられる明るさ、すなわち輝度×発光時間（以下、積分輝度という）は、標準の色温度におけるそれと比較して、Ｒが増加し、Ｇは変わらず、Ｂが減少する。この結果、赤みがかった、すなわち色温度の低い白が表示される。
【００５２】
中間輝度の表示も、ガンマ調整回路１６が標準の色温度で用いたのと同じガンマ補正テーブルを用いて、同じデータ信号Ｖｄａｔａを生成し、データ線ドライバ１３を通じてデータ線Ｄに送る。したがって、いずれの階調についても有機ＥＬ素子の輝度は標準の色温度における輝度と同じであり、色温度は発光デューティの違いだけで調整される。
【００５３】
全体の白の明るさを変化させないように、Ｒの積分輝度の増加分とＢの積分輝度の減少分が相殺し、ＲＧＢの積分輝度の総和を標準の色温度での値と等しくなるようにしてもよい。その際、必要に応じてＧの発光期間を微調整してもよい。
【００５４】
図５（ａ）は、標準の色温度より高温側に色温度を設定したときの発光タイミング信号ＩＬＭｒ、ＩＬＭｇ、ＩＬＭｂ、図５（ｂ）は同じ時の白色表示の輝度と発光タイミングを示す図である。
【００５５】
色温度の高い白を表示するために、Ｒの発光は開始時刻がＴ２より遅いＴ２Ｒ‘になり、終了時刻がＴ３より早いＴ３Ｒ’になっている。Ｇ発光の開始と終了の時刻は標準の色温度から変わらず、Ｂ発光は、開始時刻がＴ２より早いＴ２Ｂ‘になり、終了時刻がＴ３より遅いＴ３Ｂ’になっている。すなわち、Ｂの発光時間は標準の色温度における発光時間より長くなっている。この結果、青みがかった、すなわち色温度の高い白が表示される。各色の輝度ＬＲ、ＬＧ、ＬＢは、標準の色温度における輝度と同じである。
【００５６】
標準より高い色温度においても、白および中間調の輝度を標準色温度のときと同じにして、図５（ａ）の発光デューティによってホワイトバランスをとる。輝度に対応したデータ信号は変わらないので、ガンマ補正テーブル２０は標準の色温度のときと同じものを用いることができ、色温度ごとに異なるガンマ補正テーブルを用意する必要がない。
【００５７】
標準の色温度としては、使用者が選択できる色温度の範囲内から１つの色温度が選ばれる。使用者が選択できる色温度の１つを標準の色温度とし、その色温度でＲＧＢのデューティを等しくし、輝度を調整してホワイトバランスをとるので、使用者がそこから色温度を変えたとしても、デューティの差は小さく抑えられ、色割れはほとんど問題にならない。
【００５８】
これに対して、ＲＧＢの輝度を等しくし、デューティだけでホワイトバランスをとる場合は、どの色温度においてもＲＧＢのデューティの違いが大きく、色割れが生じる惧れが高い。
【００５９】
選択できるいくつかの色温度のうち、中心近くにある色温度を標準の色温度として選ぶと、高温側、低温側の両方でデューティをわずかずつ変えるだけで済む。使用者が選べる色温度が、５０００Ｋ、６０００Ｋ，７０００Ｋ，８０００Ｋの４通りのときは、６０００Ｋまたは７０００Ｋを標準とすることが好ましい。
【００６０】
上で述べたとおり、標準の色温度以外の色温度が設定されたときも、最大輝度ＬＲ、ＬＧ、ＬＢおよび中間輝度は標準色温度のときから変化させないので、データ信号Ｖｄａｔａはすべての色温度で同じである。この結果、ガンマ調整回路１６で用いられるガンマ補正テーブル２０は、色温度ごとに変える必要がなく、ＲＧＢごとに１つずつあればよい。
【００６１】
本実施例では、ＲＧＢの発光開始時刻Ｔ２と終了時刻Ｔ３の両方を変化させて色温度を切り替えているが、発光開始時刻Ｔ２をＲＧＢで揃え、発光終了時刻Ｔ３だけを変えるようにしてもよい。逆に、発光終了時刻Ｔ３は一定にして、発光開始時刻Ｔ２を変えて色温度を調整してもよい。
【００６２】
なお、照明装置においては、１枚の画像に割り当てられるフレーム期間というものがないが、単位時間内の発光している時間の割合が発光デューティとなる。またデータ信号に該当するのは、輝度調節の信号である。
【実施例２】
【００６３】
図６−図８は本発明の第２の実施例を説明する図である。図６−図８においては、有機ＥＬ素子の発光輝度と発光時間のチャートのみを示し、発光タイミング信号のチャートは省略した。
【００６４】
図６は、標準の色温度におけるＲＧＢ各有機ＥＬ素子の発光タイミングチャートである。実施例１では、有機ＥＬ素子が１フレーム期間に１回発光しているが、本実施例は、各有機ＥＬ素子が１フレーム内に複数回発光する。そのほかは実施例１と同じである。
【００６５】
有機ＥＬ素子は、発光時間制御信号によって、Ｔ０からＴ１までの１フレーム内で断続的に発光する。
【００６６】
標準の色温度に設定されたとき、発光開始と終了時刻、ΔＴＲ、ΔＴＧ、ΔＴＢの休止期間、休止位置ＴＢ１、ＴＢ２、ＴＢ３はＲＧＢで同じである。白色度の調整（ホワイトバランス）は輝度ＬＲ、ＬＧ、ＬＢの比によって行なわれている。各色の輝度をＬＲ、ＬＧ、ＬＢに対して小さくすることにより、中間調を表示する。階調レベルにたいする輝度の割合は、ＲＧＢごとにガンマ特性テーブルを参照して決められる。
【００６７】
図７は、ホワイトバランスを変更し、別の、標準の色温度より低い色温度に切り替えた場合の白表示状態を示す。色温度を標準値より低温側に設定するには、Ｒの休止期間ΔＴＲ’をΔＴＲより小さく設定し、Ｇの休止期間ΔＴＧはほぼ同じに、ΔＴＢ’をΔＴＢより大きく設定する。この結果、Ｒのデューティが高くなり、Ｂのデューティが低下する。ただし、目に見える白の明るさを変えないために、積分輝度をＲＧＢについて合計したものは、標準色温度の場合と同じにする。これにより、Ｒの１フレーム内の積分輝度が増え、Ｂの積分輝度が減少して、赤みがかった白になる。
【００６８】
図８は、色温度を標準より高温側に設定したときの各色の発光タイミングを示す図である。休止位置ＴＢ１、ＴＢ２、ＴＢ３、及びピーク輝度ＬＲ、ＬＧ、ＬＢは標準色温度の設定から変化させず、Ｒの休止期間ΔＴＲ’をΔＴＲより大きくしてＲのデューティを小さくし、Ｇの休止期間ΔＴＧはほぼ同じに、Ｂの休止期間ΔＴＢ’をΔＴＢより小さくして青のデューティを高くする。Ｒの積分輝度がＢに比べて相対的に小さくなり、青みがかった白が表示される。
【００６９】
本実施例においては、発光が１フレーム内で複数回に分けて行われるため、実施例１と比べて色割れの発生が一層抑えられる。
【実施例３】
【００７０】
図９−図１０は本発明の第３の実施例を説明する図である。
【００７１】
実施例２では休止期間を長くまたは短くして色温度を調整したが、１フレーム内の発光回数を変えて色温度を調節することもできる。
【００７２】
標準の色温度における発光の輝度と時間は、図６と同じである。図９は標準の色温度から低温側にシフトしたとき、図１０は標準の色温度から低温側にシフトしたとき、の発光回数の変化を示した図である。
【００７３】
色温度を標準の色温度から低温側に切り替えたとき、図９のように、Ｒの休止期間をΔＴＲからΔＴＲ’に短縮し、Ｇの休止期間ΔＴＧは変えず、Ｂの休止期間ΔＴＢをΔＴＢ’に延長する。さらに、ＲとＢの休止期間の中心時刻を変化させて、１フレーム期間内の発光回数を、Ｒは１回増、Ｇは変わらず、Ｂは１回減となるようにする。すなわち、ｎＲ⇒ｎＲ’＋１、ｎＧ⇒ｎＧ’、ｎＢ⇒ｎＢ’−１とする。この結果、Ｒの積分輝度は増加し、Ｇの積分輝度は変化せず、Ｂの積分輝度は減少するので、赤みがかった白になる。ただし、ＲＧＢ合計の輝度が変化しないように、ＲとＢの１回の発光期間を調節して、Ｒの輝度増加とＢの輝度減少が相殺するようにすることが好ましい。
【００７４】
標準の色温度から高温側に切り替えたときは、図１０のように、Ｒの休止期間を長く、Ｇの休止期間は変えず、Ｂの休止期間を短くし、１フレーム期間内の発光回数が、Ｒは１回減、Ｇは変わらず、Ｂは１回増となるようにする。この結果、青みがかった白が得られる。
【符号の説明】
【００７５】
１  表示装置
１２  走査線ドライバ
１３  データ線ドライバ
１４  発光期間制御回路
１６  ガンマ調整回路
１７  発光タイミング信号生成回路
１８  色温度設定スイッチ
１９  制御部
２０Ｒ，２０Ｇ，２０Ｂ  ガンマ特性テーブル
Ｖｉｄｅｏ  映像信号
Ｔｅｍｐ  色温度信号
ＩＬＭｒ、ＩＬＭｇ、ＩＬＭｂ  発光タイミング信号
Ｖｄａｔａ  データ信号
Ｓ１，Ｓ２・・・Ｓｎ  走査線
ＤＲ１，ＤＧ１・・・ＤＢｍ  データ線
ＴＲ１，ＴＧ１・・・ＴＢｎ  発光期間制御線
【図１】
2012022181.tif 000003
【図２】
2012022181.tif 000004
【図３】
2012022181.tif 000005
【図４】
2012022181.tif 000006
【図５】
2012022181.tif 000007
【図６】
2012022181.tif 000008
【図７】
2012022181.tif 000009
【図８】
2012022181.tif 000010
【図９】
2012022181.tif 000011
【図１０】
2012022181.tif 000012
【図１１】
2012022181.tif 000013
【図１２】
2012022181.tif 000014